(57)【要約】      （修正有）【課題】充填用容器や栓部材の洗浄において洗浄に用いる水の使用量を削減可能なリンサー排水回収システム等を提供する。【解決手段】充填用容器に製品液を充填して栓部材で閉栓する充填設備に設けられるリンサー排水回収システムであって、製品液が充填される前の充填用容器を洗浄するボトルリンサー２ｂに接続する経路と栓部材を洗浄するキャップリンサー２ｅに接続する経路とに分岐してボトルリンサー及びキャップリンサーにリンサー水を供給する供給配管５１，５２と、ボトルリンサーからのリンサー排水を回収する配管５３，５５とキャップリンサーからのリンサー排水を回収する配管５４，５５とを有する回収系と、回収系により回収されるリンサー排水中に含まれる殺菌剤を活性炭により分解し、リンサー水として再使用するための処理を行う回収装置４と、を含む。【選択図】図１
2011218353.tif 000002
【特許請求の範囲】
【請求項１】
充填用容器に製品液を充填して栓部材で閉栓する充填設備に設けられるリンサー排水回収システムであって、
製品液が充填される前の充填用容器を洗浄するボトルリンサーに接続する経路と栓部材を洗浄するキャップリンサーに接続する経路とに分岐して当該ボトルリンサー及び当該キャップリンサーにリンサー水を供給する供給路と、
前記ボトルリンサーからのリンサー排水を回収する回収配管と前記キャップリンサーからのリンサー排水を回収する回収配管とを有する回収系と、
前記回収系により回収されるリンサー排水中に含まれる殺菌剤を活性炭により分解し、リンサー水として再使用するための処理を行うリンサー処理部と
を含むリンサー排水回収システム。
【請求項２】
前記リンサー処理部は、前記活性炭による処理を行ったリンサー排水からイオン類を除去するイオン交換処理を行うことを特徴とする請求項１に記載のリンサー排水回収システム。
【請求項３】
製品液が充填された後の容器を洗浄する仕上げ洗浄部に前記キャップリンサーからのリンサー排水を供給する配管を有し、
前記回収系は、前記キャップリンサーからのリンサー排水に用いられ当該仕上げ洗浄部にて容器の洗浄に用いられた仕上げ排水を回収することを特徴とする請求項１または２に記載のリンサー排水回収システム。
【請求項４】
充填用容器に製品液を充填して栓部材で閉栓する充填設備にてリンサー排水を再利用するリンサー排水回収方法であって、
洗浄に用いられるリンサー水の経路を分岐して、ボトルを洗浄するボトルリンサーと当該ボトルのキャップを洗浄するキャップリンサーの各々に供給し、当該ボトルリンサーからのリンサー排水を回収するとともに、当該キャップリンサーからのリンサー排水を回収し、
回収したリンサー排水中に含まれる殺菌剤を活性炭により分解し、リンサー水として再利用することを特徴とするリンサー排水回収方法。
【請求項５】
回収したリンサー排水中に含まれる殺菌剤を活性炭により分解した後、イオン類を除去するイオン交換処理を行うことを特徴とする請求項４記載のリンサー排水回収方法。
【請求項６】
製品液が充填された後の容器を洗浄する仕上げ洗浄部に前記キャップリンサーからのリンサー排水を供給し、当該キャップリンサーからのリンサー排水に用いられ当該仕上げ洗浄部にて容器の洗浄に用いられた仕上げ排水を回収してリンサー水として再利用することを特徴とする請求項４または５記載のリンサー排水回収方法。
【発明の詳細な説明】
【技術分野】
【０００１】
本発明は、製品液を充填用容器に充填閉栓する充填設備に適用されるリンサー排水回収システム及びリンサー排水回収方法に関するものである。
【背景技術】
【０００２】
各種飲料等の内容液を充填して販売する容器においては、殺菌洗浄した容器に内容液を定量充填した後に口部にキャップを被せて締着した後に市場に供給される。このような容器を殺菌洗浄する方法としては、従来から種々の方法が提案されている（例えば、特許文献１参照）。
特許文献１に開示されている方法は、倒立して移動中の容器に対して下方から容器内部に、上部及び側部から容器外部に殺菌剤溶液を供給して容器の全面を殺菌するものである。具体的には、殺菌剤溶液として先ず次亜塩素水溶液を供給し、次に水酸化ナトリウム水溶液を供給して殺菌処理した後、無菌水を供給して殺菌剤溶液を洗い流すものである。
【０００３】
また、容器に内容液を充填するとき、容器の口部外周に内容液が付着することがある。その状態でキャップを締着すると、口部とキャップとの間に存在する付着内容液が乾燥して固化し、キャップを緩めることが難しくなる等の問題が発生するおそれがある。このような問題を解決するために従来から種々の方法が提案されている（例えば、特許文献２参照）。
特許文献２に開示されている方法は、容器の口部外周に形成されたネジ山部またはこれに螺合するキャップのネジ山部の少なくとも一方に縦方向複数箇所にベントスリットを有し、容器内に内容液を充填してキャップを被冠締着したのち容器のネックサポート部とキャップの下端との間の間隙に向け圧力洗浄水を噴射し、ベントスリットを通じて洗浄水を容器口部とキャップとの嵌合面全域に行きわたらせて間隙から流出させることにより容器口部外周部とキャップ内面との間に残存する内容液を洗い落すようにしている。
【先行技術文献】
【特許文献】
【０００４】
【特許文献１】特開２００３−１３７２２８号公報
【特許文献２】特開２００４−６６０７６号公報
【発明の概要】
【発明が解決しようとする課題】
【０００５】
ここで、昨今の水資源等の環境意識の高まりから、洗浄水の使用量をなるべく減らしたいというニーズがある。しかしながら、容器の殺菌洗浄に用いる溶液やキャップ内面に残存する内容液を確実に洗浄するためには、洗浄水を比較的多く使用しなければならない。従来から、容器やキャップの洗浄について確実かつ効率よく行うための構成についての提案があるが、新たな洗浄水を常に供給し、一度洗浄した洗浄水を排水して捨ててしまう構成では洗浄水の使用量を十分に削減することが困難であった。
【０００６】
一度洗浄に使用した洗浄水を捨てずに再度洗浄水として再使用する構成も考えられる。しかしながら、容器を殺菌処理するために薬品を使っているので、そのような薬品が残っている状態の洗浄水を再使用するのは好ましくない。
また、容器としてＰＥＴボトルを用いて充填する場合には、ＰＥＴボトルを洗浄することにより、ＰＥＴボトルの製造時に発生するカスを取り除くことができるが、そのまま洗浄水を再使用すると、カスを含んだ洗浄水で後続のＰＥＴボトルを洗浄することになり、好ましくない。
【０００７】
本発明は、以上のような技術的課題を解決するためになされたものであり、その目的とするところは、充填用容器や栓部材の洗浄において洗浄に用いる水の使用量を削減可能なリンサー排水回収システム等を提供することにある。
【課題を解決するための手段】
【０００８】
かかる目的のもと、本発明は、充填用容器に製品液を充填して栓部材で閉栓する充填設備に設けられるリンサー排水回収システムであって、製品液が充填される前の充填用容器を洗浄するボトルリンサーに接続する経路と栓部材を洗浄するキャップリンサーに接続する経路とに分岐してボトルリンサー及びキャップリンサーにリンサー水を供給する供給路と、ボトルリンサーからのリンサー排水を回収する回収配管とキャップリンサーからのリンサー排水を回収する回収配管とを有する回収系と、回収系により回収されるリンサー排水中に含まれる殺菌剤を活性炭により分解し、リンサー水として再使用するための処理を行うリンサー処理部と、を含むものである。
【０００９】
ここで、リンサー処理部は、活性炭による処理を行ったリンサー排水からイオン類を除去するイオン交換処理を行うことを特徴とすることができる。
また、製品液が充填された後の容器を洗浄する仕上げ洗浄部にキャップリンサーからのリンサー排水を供給する配管を有し、この回収系は、キャップリンサーからのリンサー排水に用いられ仕上げ洗浄部にて容器の洗浄に用いられた仕上げ排水を回収することを特徴とすることができる。
【００１０】
他の観点から捉えると、本発明は、充填用容器に製品液を充填して栓部材で閉栓する充填設備にてリンサー排水を再利用するリンサー排水回収方法であって、洗浄に用いられるリンサー水の経路を分岐して、ボトル（充填用容器）を洗浄するボトルリンサーとボトルのキャップを洗浄するキャップリンサーの各々に供給し、ボトルリンサーからのリンサー排水を回収するとともに、キャップリンサーからのリンサー排水を回収し、回収したリンサー排水中に含まれる殺菌剤を活性炭により分解し、リンサー水として再利用することを特徴とするものである。
【００１１】
ここで、回収したリンサー排水中に含まれる殺菌剤を活性炭により分解した後、イオン類を除去するイオン交換処理を行うことを特徴とすることができる。
また、製品液が充填された後の容器を洗浄する仕上げ洗浄部にキャップリンサーからのリンサー排水を供給し、キャップリンサーからのリンサー排水に用いられ仕上げ洗浄部にて容器の洗浄に用いられた仕上げ排水を回収してリンサー水として再利用することを特徴とすることができる。
【発明の効果】
【００１２】
本発明によれば、充填用容器や栓部材の洗浄において洗浄に用いる水の使用量を削減することが可能になる。
【図面の簡単な説明】
【００１３】
【図１】第１の実施の形態に係る充填封入設備を示す概略構成図である。
【図２】回収装置の構成を説明するためのブロック図である。
【図３】第２の実施の形態に係る充填封入設備を示す概略構成図である。
【図４】回収装置の構成を説明するためのブロック図である。
【図５】回収装置の処理内容を説明するための表である。
【図６】第３の実施の形態に係る充填封入設備を示す概略構成図である。
【図７】第４の実施の形態に係る充填封入設備を示す概略構成図である。
【発明を実施するための形態】
【００１４】
以下、添付図面を参照して、本発明の実施の形態について詳細に説明する。
〔第１の実施の形態〕
図１は、第１の実施の形態に係る充填封入設備（充填設備）１Ａを示す概略構成図である。
まず、図１の充填封入設備１Ａにおける容器搬送系について説明する。ここにいう容器とは、ボトル（充填用容器）及びボトルのビン口部に取り付けられるキャップ（栓部材）をいう。なお、図１に示す充填封入設備１Ａは、無菌充填（アセプティック充填）ラインに配置されるものである。
図１に示すように、充填封入設備１Ａは、ボトルの搬送方向に沿って順に、ボトル滅菌機（空ビン殺菌機）２ａと、ボトルリンサー（空ビン洗浄機、プレリンサー、第１のリンサー）２ｂと、フィラー（充填機、注入機）２ｃと、を備えている。このボトル滅菌機２ａは、充填前のボトル（例えばＰＥＴボトル）を殺菌処理するために殺菌剤をかけてボトル自体を滅菌する機械である。ボトルリンサー２ｂは、ボトル滅菌機２ａにより殺菌剤で殺菌処理されたボトルをリンサー水（ボトルリンサー水）で洗浄して殺菌剤を洗い流す機械である。これらボトル滅菌機２ａ及びボトルリンサー２ｂによって空ビン洗浄工程が行われる。
ここにいう殺菌剤とは、菌が発生しないようにするための薬品をいい、例えば、次亜塩素酸ソーダ、過酸化水素（過水）又は過酢酸等をいう。付言すると、本実施の形態のように無菌充填の場合には、過酢酸を過酸化水素と併用して用いたり、過酸化水素のみを用いたりする。
【００１５】
フィラー２ｃは、空ビン洗浄工程を経たボトルの各々に所定量の製品液をビン口部から充填していく機械である。ここにいう製品液とは、消費者が口にするボトルの中のジュースやお茶等をいう。なお、ボトル滅菌機２ａとボトルリンサー２ｂとフィラー２ｃとをまとめて充填機として構成することも考えられる。
【００１６】
また、図１に示すように、充填封入設備１Ａは、キャップの搬送方向に沿って順に、キャップ滅菌機２ｄと、キャップリンサー（第２のリンサー）２ｅと、を備えている。このキャップ滅菌機２ｄは、ボトルの封入に用いるキャップを殺菌処理するために殺菌剤を用いてキャップ自体を滅菌する機械である。キャップリンサー２ｅは、キャップ滅菌機２ｄにより殺菌剤で殺菌処理されたキャップをリンサー水（キャップリンサー水）で洗浄して殺菌剤を洗い流す機械である。
【００１７】
また、図１に示すように、充填封入設備１Ａは、キャッパー（封入機、閉栓機、密封機）２ｆを備えている。このキャッパー２ｆは、フィラー２ｃにより製品液を充填されたボトルのビン口部を滅菌処理されたキャップで閉栓（キャップ締め）する機械である。更に説明すると、ボトルのビン口部の外周面には雄ねじが形成されており、また、キャップの内周面には雌ねじが形成されている。そして、キャッパー２ｆは、キャップの内周面の雌ねじを雄ねじに螺合締着することにより、ボトルが閉栓され、製品液はボトル内で密封される。これにより製品液の充填と封入が完了する。
なお、本実施の形態の充填封入設備１Ａは、上述したように、無菌充填であり、ボトル及びキャップの滅菌から、リンサー、充填及びキャップ締めまでは、無菌雰囲気が保たれた中で行われる。そのため、キャップ締めの後における殺菌工程はない。
【００１８】
さらに、図１に示すように、充填封入設備１Ａは、仕上げ洗浄機（実ビン洗浄機、洗浄部）２ｇを備えている。この仕上げ洗浄機２ｇは、製品液を充填封入したボトル（実ビン）の外面、とりわけキャップ締めされたボトルのビン口部を洗浄する機械である。すなわち、仕上げ洗浄機２ｇは、キャップの雌ねじとボトルのビン口部の雄ねじとが互いに螺合締着している部分を主に洗浄するための機械である。この仕上げ洗浄機２ｇによって実ビン洗浄工程が行われる。なお、仕上げ洗浄機２ｇを、ネック洗浄機や口部洗浄機、外面洗浄機と呼ぶこともできる。
【００１９】
次に、図１の充填封入設備１Ａにおける流路系について説明する。
図１に示すように、充填封入設備１Ａは、ＵＨＴ殺菌(Ultra High Temperature sterilization)機３と回収装置４とを備えている。このＵＨＴ殺菌機３は、供給される補給水について加熱殺菌して無菌水を作り出す加熱殺菌機である。すなわち、本実施の形態では、リンサー水として無菌水を用いている。したがって、ＵＨＴ殺菌機３を無菌水製造機ということもできる。無菌水がＵＨＴ殺菌機３から流れ出るときには、摂氏２０〜５０度ぐらいになるように冷却される。ここにいう無菌水とは、加熱殺菌機を通して殺菌された水をいい、次亜塩素酸ソーダ等を添加しただけの水や上水を含まない。
回収装置４は、キャップリンサー２ｅ及びボトルリンサー２ｂから排出されたリンサー排水を回収して再利用できるように処理する装置である。回収装置４の構成については後述する。
【００２０】
図１に示すように、充填封入設備１Ａは、ＵＨＴ殺菌機３とボトルリンサー２ｂとを互いに結ぶ供給配管（供給路）５１と、ＵＨＴ殺菌機３とキャップリンサー２ｅとを互いに結ぶ供給配管（供給路）５２と、を備えている。このため、ＵＨＴ殺菌機３で製造された無菌水は、供給配管５１，５２を通じてボトルリンサー２ｂとキャップリンサー２ｅに供給される。更に説明すると、ＵＨＴ殺菌機３で製造された無菌水の多くがボトルリンサー２ｂに供給される。
なお、仕上げ洗浄機２ｇ及び回収装置４に補給水が供給されるように構成されている。
【００２１】
また、充填封入設備１Ａは、ボトルリンサー２ｂと仕上げ洗浄機２ｇとを互いに結ぶ配管５３と、キャップリンサー２ｅと仕上げ洗浄機２ｇとを互いに結ぶ配管５４と、を備えている。このため、ボトルリンサー２ｂからのリンサー排水及びキャップリンサー２ｅからのリンサー排水は、仕上げ洗浄機２ｇに供給される。すなわち、仕上げ洗浄機２ｇは、リンサー排水を用いて洗浄を行う。このように、本実施の形態では、リンサー排水を再利用している。このため、使用後の排水量を削減することができ、水資源の有効利用を図ることができる。
【００２２】
また、充填封入設備１Ａは、仕上げ洗浄機２ｇと回収装置４とを互いに結ぶ回収配管５５と、回収装置４とＵＨＴ殺菌機３とを互いに結ぶ配管５６と、を備えている。このため、仕上げ洗浄機２ｇで使われた仕上げ排水は、回収装置４に回収され、所定の処理が施されてＵＨＴ殺菌機３に供給される。このため、充填封入設備１Ａでは、使用する水を再循環することで、排水量のより一層の削減が可能であり、水資源の更なる有効利用を図ることができる。
【００２３】
より具体的に説明すると、例えば、ボトルリンサー２ｂに供給される無菌水の流量としては、２０トン／ｈであり、キャップリンサー２ｅに供給される無菌水の流量としては、１トン／ｈであるとする。この場合には、仕上げ洗浄機２ｇへの流入量は、２１トン／ｈである。仕上げ洗浄機２ｇに補給水が供給されているように構成されているが、仕上げ洗浄機２ｇでの補給水がないとすると、回収装置４への流入量もまた、２１トン／ｈである。そして、回収装置４に補給水が供給されるように構成されている。したがって、回収装置４において、回収装置４に補給される補給水の流量と、回収装置４から排出されて捨てられる仕上げ排水の流量とを同じにすれば、循環する流量が２１トン／ｈに維持できる。補給水の流量及び捨てられる仕上げ排水の流量は、実験等により予め設定することが可能である。また、当然ながら、両者の間に差を設けることで、循環する流量を調整することが可能である。
【００２４】
このように、ＵＨＴ殺菌機３からのリンサー水は、途中で分岐してボトルリンサー２ｂ及びキャップリンサー２ｅに供給される。そして、ボトルリンサー２ｂからのリンサー排水及びキャップリンサー２ｅからのリンサー排水は、仕上げ洗浄機２ｇに供給される。すなわち、ボトルリンサー２ｂからのリンサー排水及びキャップリンサー２ｅからのリンサー排水が仕上げ洗浄機２ｇで合流して仕上げ洗浄に用いられる。その後、仕上げ洗浄機２ｇからの仕上げ排水は、回収装置４にまとめて回収され、回収装置４で所定の処理が施された後にＵＨＴ殺菌機３に戻される。
【００２５】
図２は、回収装置４の構成を説明するためのブロック図である。
図２に示すように、回収装置４は、仕上げ洗浄機２ｇからの仕上げ排水中に含まれる殺菌剤を分解する活性炭塔４１と、仕上げ排水中に混入する濁質や異物を除去するフィルター４２と、仕上げ排水中のイオンを除去するイオン交換処理器４３と、を有する。
【００２６】
活性炭塔４１は、図示しない粒状活性炭充填層を内蔵している。そして、仕上げ排水中の過酸化物である過酸化水素及び過酢酸が粒状活性炭と接触すると、過酸化水素は水と酸素に分解され（過酸化物分解処理）、過酢酸は酢酸と酸素に分解される。また、フィルター４２は、活性炭塔４１から漏洩する活性炭微粉をろ過できるものである。イオン交換処理器４３は、イオン交換処理を行うものであり、具体的には、イオン類を除去し、かつ、残留ガスを放散するものである。なお、フィルター４２を、活性炭塔の後でなくイオン交換処理器４３の後に設置して、活性炭塔４１及びイオン交換処理器４３から漏洩する活性炭微粉等の微粒子を合わせて除去してもよい。
また、回収装置４は、仕上げ排水の一部がドレンから外に排出され、かつ、ＵＨＴ殺菌機３に供給するのに必要な量が不足するときには、補給水が供給されるように構成されている。
このようにして、回収装置４は、仕上げ排水中の殺菌剤や濁質、異物を排除し、飲料適合水並みの水とするように処理する。
【００２７】
本実施の形態では、製品製造のラインを一通り通ってから１箇所の回収装置４で回収する構成のため、配管の構成を簡素にすることができる。また、循環しているため、その流量を上げても排水量はあまり上がらない。
また、本実施の形態では、リンサー排水を仕上げ洗浄機２ｇに更に通した後に回収装置４で回収される構成であり、過酸化物分解処理の後にイオン交換処理を行っている。このように、回収装置４の内部の洗浄工程を強化することで、仕上げ排水に含まれ得る製品液による回収装置４内の閉塞や菌増殖を抑制し、ユーザによる回収装置４の内部洗浄の頻度を減らしてユーザの手間を軽減している。
【００２８】
なお、本実施の形態では、無菌充填のラインに配置されるものであるが、無菌充填ではない一般充填のラインにも配置するように構成することも可能である。その場合には、ボトルリンサー２ｂ及びキャップリンサー２ｅに使用されるリンサー水として、一般的な飲み水である上水やイオンが非常に少ない純水等の飲料適合水を用いる。なお、上水は、水道水であり、次亜塩素酸ソーダが殺菌剤として０．１〜１ｐｐｍ含まれている。また、純水は、イオン交換処理により作り出せる水である。
すなわち、フィラー２ｃにおいては、外気に直接触れる雰囲気で充填されるように構成されている。そして、ボトルリンサー２ｂ及びキャップリンサー２ｅでの洗浄用水として用いるのは無菌水ではなく、飲料適合水である。また、製品液を充填してキャップ締めした後に、外面から加熱して中身まで殺菌を行う。付言すると、炭酸飲料等の場合には、殺菌する温度までは加熱しない。また、図１におけるＵＨＴ殺菌機３を省略することが可能である。
【００２９】
〔第２の実施の形態〕
図３は、第２の実施の形態に係る充填封入設備１Ｂを示す概略構成図である。なお、本実施の形態に係る充填封入設備１Ｂにおける容器搬送系及び流路系については、上述した第１の実施の形態に係る充填封入設備１Ａと同じであれば、同じ符号を用い、その説明を省略する。
図３に示すように、充填封入設備１Ｂは、２つの回収系を備えている。第１の回収系は、仕上げ洗浄機２ｇからの仕上げ排水を回収装置４（第２リンサー処理部）に導く回収配管（第２リンサー回収路）５５と、回収装置４からの処理水を仕上げ洗浄機２ｇに導く配管５７と、で構成されている。第２の回収系は、ボトルリンサー２ｂからのリンサー排水を回収装置（第１リンサー処理部）７に導く回収配管（第１リンサー回収路）５８と、回収装置７からの処理水をＵＨＴ殺菌機３に導く配管５６と、ＵＨＴ殺菌機３からのリンサー水をボトルリンサー２ｂに導く供給配管５１と、で構成されている。
すなわち、充填封入設備１Ｂは、ボトルリンサー２ｂからのリンサー排水を回収する回収装置７を備えている。
【００３０】
このように、ＵＨＴ殺菌機３からのリンサー水は、途中で分岐してボトルリンサー２ｂ及びキャップリンサー２ｅに供給される。そして、ボトルリンサー２ｂからのリンサー排水は、そのまま回収装置７に回収され、回収装置７で所定の処理が施された後に、ＵＨＴ殺菌機３に戻される。このように、回収装置７を含む循環系には、製品液が持ち込まれないので、回収装置７では、比較的簡素な処理で、ボトルリンサー２ｂで用いるリンサー水に対する水質要求を満たすことができる。
【００３１】
一方、キャップリンサー２ｅからのリンサー排水は、仕上げ洗浄機２ｇに供給される。すなわち、キャップリンサー２ｅからのリンサー排水のみが、仕上げ洗浄機２ｇにおける仕上げ洗浄に用いられる。その後、仕上げ洗浄機２ｇからの仕上げ排水は、回収装置４に回収され、所定の処理が施された後に仕上げ洗浄機２ｇに戻される。なお、回収装置４において洗浄流量を適正値になるように容易に設定することが可能である。
ここで、回収装置４においては、殺菌剤の添加や加熱等により循環系内を殺菌雰囲気が保てるように構成する。更に説明すると、回収装置４の循環系補給水として、比較的高濃度の殺菌剤が含まれるキャップリンサー２ｅからのリンサー排水を使用することで、殺菌雰囲気を保つことが可能である。
【００３２】
図４は、回収装置７の構成を説明するためのブロック図である。
図４に示すように、回収装置７は、ボトルリンサー２ｂからの仕上げ排水中に含まれる殺菌剤を分解する活性炭塔７１と、仕上げ排水中に混入する濁質や異物を除去するフィルター７２と、を有する。すなわち、回収装置７は、回収装置４が有するイオン交換処理器４３（図２参照）に相当する構成を有さない。
【００３３】
このように、本実施の形態では、回収装置７は過酸化物分解処理を行うものの、イオン交換処理を行わない。ボトルリンサー２ｂからのリンサー排水には、製品液が含まれることはないので、過酸化物分解処理のみで十分なためである。したがって、回収装置７は、回収装置４に比べて簡素に構成することができる。
【００３４】
以下に、回収装置４と回収装置７とを互いに比較して述べる。
処理水への生菌流出は、回収装置４に比べて回収装置７では少ない。また、熱水殺菌を行うべき頻度は、回収装置４に比べて回収装置７では少なくて済む。なお、活性炭塔７１（図４参照）では塔内での細菌の繁殖を抑制するために、熱水殺菌(６０〜９０℃)が定期的に行われる。
また、回収装置の閉塞は、回収装置４では製品液の混入等によりしばしば発生するが、回収装置７では少ない。また、回収装置の充填剤の抜出洗浄は、回収装置４では必要であるが、回収装置７では不要である。すなわち、回収装置７では、製品液の持込がなくなるため、洗浄などの手間も減る。
また、排水量は、回収装置４に比べて回収装置７では少ない。
【００３５】
図５は、回収装置７の処理内容を回収装置４の処理内容と比較して説明するための表である。
図５に示すように、回収装置７は、使用される殺菌剤の種類と循環系内に補給される補給水の種類により、回収装置４よりも簡素化することができ、コスト効果が非常に大きくなる。
すなわち、回収装置４では、殺菌剤が過酸化水素であっても過酢酸であっても、また、補給水が純水であっても上水であっても、閉塞対策仕様の、過酸化物分解処理（ＡＣ'）、イオン交換処理（ＩＥ'）（残留ガス放散処理を含む）及びフィルターろ過（カートリッジフィルター）（Ｆ'）の構成が必要になる。この過酸化物分解処理（ＡＣ'）では、閉塞対策として空気洗浄機能付きのものを用いるが、充填物の増量が必要となる。また、イオン交換処理（ＩＥ'）では、閉塞対策として逆流洗浄とイオン交換樹脂の再生を強化したタイプのものを用いるが、再生用薬品量が多くなり、排水量も増加する。また、フィルターろ過では、閉塞対策として標準サイズよりも大型のカートリッジフィルターが必要となるが、カートリッジの交換頻度は多くなる。
なお、ここにいう再生について説明すると、イオン交換装置は水に含まれるイオン類を除去して処理水（脱塩水、純水）にするが、その能力は一定のイオン量までしか取れないことから、ある程度の量を通水させると薬品（塩酸、苛性ソーダ等）を使って再びイオン類を除去できるようにする操作を再生という。
【００３６】
その一方で、回収装置７では、殺菌剤が過酸化水素で補給水が純水のときには、閉塞対策仕様でない過酸化物分解処理（ＡＣ）及びフィルターろ過（Ｆ）の構成で足りる。また、殺菌剤が過酸化水素で補給水が上水のときには、閉塞対策仕様でない過酸化物分解処理（ＡＣ）及びフィルターろ過（Ｆ）の構成、又は、閉塞対策仕様でない過酸化物分解処理（ＡＣ）、イオン交換処理（ＩＥ）及びフィルターろ過（Ｆ）の構成で足りる。また、殺菌剤が過酢酸で補給水が純水又は上水のときには、閉塞対策仕様でない過酸化物分解処理（ＡＣ）、イオン交換処理（ＩＥ）及びフィルターろ過（Ｆ）を行うための構成で足りる。上述したように、回収装置７では、いずれの処理においても閉塞対策の仕様は不要になる。
【００３７】
ここで、上述したように、ボトルリンサー２ｂに供給される無菌水の流量は、キャップリンサー２ｅに供給される無菌水の流量よりもはるかに多い。第１の実施の形態に係る充填封入設備１Ａのように、ボトルリンサー２ｂからのリンサー排水を、製品液が含まれるキャップリンサー２ｅからのリンサー排水と合わせて処理する場合に比べて、処理を簡素化することができる。更に説明すると、ボトルリンサー２ｂからのリンサー排水とキャップリンサー２ｅからのリンサー排水とを別々に処理する構成を採用することにより、回収装置４，７の各々の構成を必要な処理内容に特化させることができ、また、２つの回収系における流量設定を個別に行うことができる。
また、ボトルリンサー２ｂの場合に比べて酸化剤濃度の高いキャップリンサー２ｅからのリンサー排水を充填後の仕上げ洗浄機２ｇに供給することにより、清浄性を向上させることが可能になる。
なお、本実施の形態では、回収装置では熱水殺菌処理を行い、回収装置以外の装置であるＵＨＴ殺菌機３では、加熱殺菌処理を行っているが、これに限られるものではないことを付言しておく。
【００３８】
〔第３の実施の形態〕
図６は、第３の実施の形態に係る充填封入設備１Ｃを示す概略構成図である。なお、本実施の形態に係る充填封入設備１Ｃの構成は、上述した第２の実施の形態に係る充填封入設備１Ｂとほぼ同じであるので、同じ符号を用いると共に、その説明を省略する。
図６に示すように、充填封入設備１Ｃは、バイパス路（迂回路）８１を備えている。このバイパス路８１は、配管５４の中間部と回収配管５８の中間部とを接続するように配設されている。そして、配管５４には、自動弁８２が配置され、また、バイパス路８１には、自動弁８３が配置されている。この自動弁８２，８３は、図示しない制御部により開閉が制御されている。すなわち、仕上げ洗浄機２ｇが作動しているときには、図示しない制御部により自動弁８２が開かれる一方で、自動弁８３が閉じられる。また、仕上げ洗浄機２ｇが作動していないときには、図示しない制御部により自動弁８２が閉じられる一方で、自動弁８３が開けられる。なお、自動弁８２，８３に代えて、両弁と同様の機能を有する自動３方弁を用いてもよい。
【００３９】
仕上げ洗浄機２ｇが停止している場合には、キャップリンサー２ｅからのリンサー排水は、仕上げ洗浄機２ｇに供給されず、バイパス路８１により回収装置７に供給される。更に説明すると、仕上げ洗浄機２ｇが停止しているときにはＵＨＴ殺菌機３を仕上げ洗浄機２ｇに連動して停止させることも考えられるが、ＵＨＴ殺菌機３を再稼動する際には時間がかかってしまう等の問題がある。このため、ＵＨＴ殺菌機３を仕上げ洗浄機２ｇの作動・停止に連動させることは好ましくない。
このように、本実施の形態では、バイパス路８１を備えているので、仕上げ洗浄機２ｇが停止している状態であっても、キャップリンサー２ｅからのリンサー排水を再利用を効率よく行うことが可能になる。
【００４０】
〔第４の実施の形態〕
図７は、第４の実施の形態に係る充填封入設備１Ｄを示す概略構成図である。なお、本実施の形態に係る充填封入設備１Ｄの構成は、上述した第３の実施の形態に係る充填封入設備１Ｃとほぼ同じであるので、同じ符号を用いると共に、その説明を省略する。
図７に示すように、充填封入設備１Ｄは、充填封入設備１Ｃが備える回収装置４を備えていない。すなわち、キャップリンサー２ｅからのリンサー排水が仕上げ洗浄機２ｇに供給され、再利用される。そして、仕上げ洗浄機２ｇからの仕上げ排水は、そのまま排出される。その一方で、ボトルリンサー２ｂからのリンサー排水は回収装置７で回収され、ＵＨＴ殺菌機３に供給される。上述したように、キャップリンサー２ｅからのリンサー排水の量すなわち仕上げ洗浄機２ｇからの仕上げ排水の量は、ボトルリンサー２ｂからのリンサー排水の量よりもはるかに少ない。したがって、本実施の形態によれば、回収装置４を削除したとしても、水の循環量を十分に確保することができ、水の使用量の大幅な削減を実現することができる。更には、回収装置４を設置しないことによるコスト削減を実現することもできる。
【符号の説明】
【００４１】
１Ａ，１Ｂ，１Ｃ，１Ｄ…充填封入設備、２ｂ…ボトルリンサー、２ｅ…キャップリンサー、４，７…回収装置、５１，５２…供給配管、５３，５４，５６，５７…配管、５５，５８…回収配管、８１…バイパス路，８２，８３…自動弁
【図１】
2011218353.tif 000003
【図２】
2011218353.tif 000004
【図３】
2011218353.tif 000005
【図４】
2011218353.tif 000006
【図５】
2011218353.tif 000007
【図６】
2011218353.tif 000008
【図７】
2011218353.tif 000009